(57)【要約】      （修正有）【課題】アクセサリー本体をファスナーの引手に対して見栄え良く取り付けることができるファスナー用アクセサリーを提供する。【解決手段】ファスナー用アクセサリー１０を、装飾的意匠が施された一対のアクセサリー本体１２，１４と、これらを互いに連結する連結体１６とで構成する。そして、一方のアクセサリー本体１２に、引手Ｈの先端部が嵌め込まれる引手嵌合溝１８と、引手Ｈに形成された貫通孔Ｎに対応する位置から突設された第１嵌着部２２とを形成する。さらに、他方のアクセサリー本体１４に第２嵌着部３０を形成する。連結体１６を折り曲げて、引手Ｈを引手嵌合溝１８に嵌合させた状態で貫通孔Ｎを介して第１嵌着部２２と第２嵌着部３０とが互いに嵌着するように一対のアクセサリー本体１２，１４を互いに接合する。【選択図】図１
0003211892.tif 000002
【実用新案登録請求の範囲】
【請求項１】
装飾的意匠が施された一対のアクセサリー本体と、
一対の前記アクセサリー本体を互いに連結する連結体とを備えており、
一方の前記アクセサリー本体は、
ファスナーの引手の先端部が嵌め込まれる引手嵌合溝と、
前記引手嵌合溝の底面における、嵌め込まれる前記引手に形成された貫通孔に対応する位置から突設された第１嵌着部とを有しており、
他方の前記アクセサリー本体は、
前記第１嵌着部と嵌着するように突出形成された第２嵌着部を有しており、
前記連結体を折り曲げることにより、前記引手を前記引手嵌合溝に嵌合させた状態で、前記引手の前記貫通孔を介して前記第１嵌着部と前記第２嵌着部とが互いに嵌着するように一対の前記アクセサリー本体が互いに接合する
ファスナー用アクセサリー。
【請求項２】
一方の前記アクセサリー本体の縁部には、第１係合部が形成されており、
他方の前記アクセサリー本体の縁部における前記第１係合部に対応する位置には、前記第１係合部と係合する第２係合部が形成されている請求項１に記載のファスナー用アクセサリー。
【請求項３】
他方の前記アクセサリー本体における前記引手嵌合溝に対応する位置には、前記引手の先端部が嵌め込まれる第２引手嵌合溝が形成されている請求項１または２に記載のファスナー用アクセサリー。
【考案の詳細な説明】
【技術分野】
【０００１】
本考案は、衣服やカバン等（以下、単に「衣服等」という）のファスナーの引手に取り付けて当該衣服等を装飾するファスナー用アクセサリーに関する。
【背景技術】
【０００２】
動物やキャラクター等の意匠的外観を有するアクセサリーを衣服等に設けられたファスナーの引手に取り付けることにより、衣服等を装飾するファスナー用アクセサリーが特許文献１に開示されている。
【０００３】
特許文献１に開示されたファスナー用アクセサリーは、動物やキャラクター等の意匠的外観を有するアクセサリー本体と、当該アクセサリー本体を取り付けるための環状部、先端が鍵状に湾曲したフックアーム部、環状部を基部にして外側方に弾発的に拡開付勢された係止アーム部からなるループ状のフック具と、フックアーム部、係止アーム部それぞれを共に包み込むように巻挿されるストッパー具とで構成されている。
【０００４】
このようなファスナー用アクセサリーをファスナーの引手に取り付ける場合には、ストッパー具をフック具の拡幅先端方向へ沿ってスライドさせながらフックアーム部と係止アーム部とを拡開させておき、該フックアーム部の先端を引手に掛ける。逆に、ファスナー用アクセサリーをファスナーの引手から取り外す場合には、ストッパー具をフック具の拡幅先端方向に沿ってスライドさせ、一旦ストッパー具から係止アームだけを解放させるか、またはフックアーム部と係止アーム部とを拡開させるかしておき、該フックアーム部先端を引手から取り外す。
【０００５】
これにより、ＴＰＯやユーザの気分等に応じたファスナー用アクセサリーを衣服等に取り付けて当該衣服等を装飾することができる。
【先行技術文献】
【特許文献】
【０００６】
【特許文献１】実用新案登録第３０４１３２８号公報
【考案の概要】
【考案が解決しようとする課題】
【０００７】
しかしながら、特許文献１に開示されたファスナー用アクセサリーには解決すべき課題があった。すなわち、上記ファスナー用アクセサリーはアクセサリー本体を引手に取り付けるためのフック具が必須の構成要素になっていることから、アクセサリー本体と引手との間には必ずこのフック具が存在することになる。
【０００８】
このように、アクセサリー本体とは意匠的な関係がないフック具が存在すること、および、アクセサリー本体がフック具を介して引手からだらりと垂れ下がるように取り付けられること等から、せっかく取り付けたアクセサリー本体の見栄えが悪いという問題があった。
【０００９】
本考案は、このような従来技術の問題に鑑みて開発されたものである。それゆえに本考案の主たる課題は、アクセサリー本体をファスナーの引手に対して見栄え良く取り付けることができるファスナー用アクセサリーを提供することにある。
【課題を解決するための手段】
【００１０】
本考案の一局面によれば、
装飾的意匠が施された一対のアクセサリー本体と、
一対の前記アクセサリー本体を互いに連結する連結体とを備えており、
一方の前記アクセサリー本体は、
ファスナーの引手の先端部が嵌め込まれる引手嵌合溝と、
前記引手嵌合溝の底面における、嵌め込まれる前記引手に形成された貫通孔に対応する位置から突設された第１嵌着部とを有しており、
他方の前記アクセサリー本体は、
前記第１嵌着部と嵌着するように突出形成された第２嵌着部を有しており、
前記連結体を折り曲げることにより、前記引手を前記引手嵌合溝に嵌合させた状態で、前記引手の前記貫通孔を介して前記第１嵌着部と前記第２嵌着部とが互いに嵌着するように一対の前記アクセサリー本体が互いに接合する
ファスナー用アクセサリーが提供される。
【００１１】
好適には、一方の前記アクセサリー本体の縁部には、第１係合部が形成されており、
他方の前記アクセサリー本体の縁部における前記第１係合部に対応する位置には、前記第１係合部と係合する第２係合部が形成されている。
【００１２】
好適には、他方の前記アクセサリー本体における前記引手嵌合溝に対応する位置には、前記引手の先端部が嵌め込まれる第２引手嵌合溝が形成されている。
【考案の効果】
【００１３】
本考案によれば、ファスナー用アクセサリーをファスナーの引手に取り付ける際、連結体を折り曲げることにより、引手嵌合溝に嵌合させた状態のファスナーの引手の先端を一対のアクセサリー本体で包み込むようにして一対のアクセサリー本体を互いに接合させる。このように、本考案が適用されたファスナー用アクセサリーによれば、アクセサリー本体が引手に対して直接的に取り付けられるので、引手に対して見栄え良くアクセサリー本体を取り付けることができた。
【００１４】
また、引手の貫通孔を貫通するようにして第１嵌着部と第２嵌着部とが互いに嵌着するので、ファスナー用アクセサリーを引っ張っても引手から外れることがなく、安心して使用することができる。
【図面の簡単な説明】
【００１５】
【図１】本考案が適用されたファスナー用アクセサリー１０の開いた状態を示す図である。
【図２】本考案が適用されたファスナー用アクセサリー１０の閉じた状態(ファスナーＦの引手Ｈに取り付けた状態）を示す図である。
【図３】他の実施例にかかるファスナー用アクセサリー１０を示す図である。
【図４】衣服に取り付けられたファスナーＦの引手Ｈにファスナー用アクセサリー１０を取り付けた状態を示す図である。
【図５】バッグに取り付けられたファスナーＦの引手Ｈにファスナー用アクセサリー１０を取り付けた状態を示す図である。
【考案を実施するための形態】
【００１６】
図１は、本考案が適用された一の実施例にかかるファスナー用アクセサリー１０を示す。ファスナー用アクセサリー１０は、大略、一対のアクセサリー本体１２，１４と、連結体１６とを備えている。
【００１７】
一方のアクセサリー本体１２は、衣服等に取り付けられたファスナーＦの引手Ｈの先端部が嵌め込まれる引手嵌合溝１８を有している。また、この引手嵌合溝１８の底面２０からは、第１嵌着部２２が突設されている。この第１嵌着部２２が突設されている位置は、引手嵌合溝１８に引手Ｈの先端部を嵌め込んだときに第１嵌着部２２が引手Ｈに形成された貫通孔Ｎを貫通するような、当該貫通孔Ｎに対応する位置となっている。
【００１８】
さらに、一方のアクセサリー本体１２の縁部（本実施例では、連結体１６が取り付けられている縁部とは反対側の縁部）には、第１係合部２４が形成されている。なお、この第１係合部２４は本考案に必須の構成要素ではない。
【００１９】
他方のアクセサリー本体１４は、ファスナーＦの引手Ｈの先端部が嵌め込まれる第２引手嵌合溝２６を有している。この第２引手嵌合溝２６は、一方のアクセサリー本体１４に形成された引手嵌合溝１８に対応する位置に形成されており、引手嵌合溝１８と第２引手嵌合溝２６とが組み合わさることにより、引手Ｈの先端部が収容される空間が形成される。なお、この第２引手嵌合溝２６は本考案に必須の構成要素ではなく、引手Ｈの先端部を収容する分の空間を形成できるのであれば、一方のアクセサリー本体１４に引手嵌合溝１８を形成するだけでよい。
【００２０】
また、第２引手嵌合溝２６の底面２８からは、上述した第１嵌着部２２と嵌着する第２嵌着部３０が突設されている。本実施例では、第１嵌着部２２が第２嵌着部３０の中心部に形成された嵌着穴３２に嵌まるようになっているが、これを入れ替えて、第１嵌着部２２に嵌着穴３２を形成し、ここに第２嵌着部３０が嵌まるようにしてもよい。
【００２１】
さらに、他方のアクセサリー本体１４の縁部（本実施例では、連結体１６が取り付けられている縁部とは反対側の縁部）には、上述した第１係合部２４と係合する第２係合部３４が形成されている。なお、この第２係合部３４は本考案に必須の構成要素ではない。
【００２２】
また、一対のアクセサリー本体１２，１４の各表面（一対のアクセサリー本体１２，１４を互いに接合させたときに外側になる面）には、図２に示すように、塗装や印刷、あるいはシール等を用いて動物やキャラクター等の意匠が施されている。
【００２３】
図１に戻り、連結体１６は、一対のアクセサリー本体１２，１４を互いに連結する役割を有する比較的薄肉の部材である。連結体１６の一端は一方のアクセサリー本体１２の縁部に接続されており、他端は他方のアクセサリー本体１４の縁部に接続されている。
【００２４】
これにより、連結体１６を折り曲げることで、引手Ｈを引手嵌合溝１８および第２引手嵌合溝２６に嵌合させた状態で、引手Ｈの貫通孔Ｎを介して第１嵌着部２２と第２嵌着部３０とが互いに嵌着するように一対のアクセサリー本体１２，１４が互いに接合するようになっている。
【００２５】
次に、本実施例に係るファスナー用アクセサリー１０をファスナーＦの引手Ｈに取り付ける手順を説明する。はじめに、一方のアクセサリー本体１２に形成された引手嵌合溝１８にファスナーＦの引手Ｈの先端部を嵌め合わせる。このとき、第１嵌着部２２が引手Ｈの貫通孔Ｎに挿通された状態になっている。
【００２６】
然る後、連結体１６を折り曲げていき、引手Ｈを挟み込むようにして一対のアクセサリー本体１２，１４を互いに近接させていく。引き続き一対のアクセサリー本体１２，１４を互いに近接させていくと、第１嵌着部２２と他方のアクセサリー本体１４における第２嵌着部３０とが互いに嵌着し、かつ、第１係合部２４と第２係合部３４とが互いに係合しあうことにより、一対のアクセサリー本体１２，１４が互いに接合した状態で固定され、引手Ｈに対するファスナー用アクセサリー１０の取り付けが完了する。
【００２７】
（ファスナー用アクセサリー１０の特徴）
このように、本実施例のファスナー用アクセサリー１０によれば、アクセサリー本体１２，１４が引手に対して直接的に取り付けられるので、引手Ｈに対して見栄え良くアクセサリー本体１２，１４を取り付けることができる。
【００２８】
また、引手Ｈの貫通孔Ｎを貫通するようにして第１嵌着部２２と第２嵌着部３０とが互いに嵌着するので、ファスナー用アクセサリー１０を引っ張っても引手Ｈから外れることがなく、安心して使用することができる。
【００２９】
さらに、一方のアクセサリー本体１２の縁部に第１係合部２４が形成され、他方のアクセサリー本体１４の縁部における第１係合部２４に対応する位置に当該第１係合部２４と係合する第２係合部３４が形成されているので、一対のアクセサリー本体１２，１４が接合した状態を安定的に固定することができる。
【００３０】
また、他方のアクセサリー本体１４における引手嵌合溝１８に対応する位置には、引手Ｈの先端部が嵌め込まれる第２引手嵌合溝２６が形成されているので、引手Ｈの先端部にファスナー用アクセサリー１０を取り付ける際、一方のアクセサリー本体１２の引手嵌合溝１８でも、他方のアクセサリー本体１４の第２引手嵌合溝２６でも、どちらに先に引手Ｈの先端部を嵌め込んでもよいので、引手Ｈに対するファスナー用アクセサリー１０の取り付けやすさが向上する。
【００３１】
一対のアクセサリー本体１２，１４の各表面に施される意匠はどのようなものでもよく、また、図３に示すように、一対のアクセサリー本体１２，１４の外形（輪郭）も様々な形状が考えられる。
【００３２】
また、本考案にかかるファスナー用アクセサリー１０は、ファスナーＦの引手Ｈであれば、衣服やバッグ等どのようなものに対しても適用できる。例えば、図４には衣服に取り付けられたファスナーＦの引手Ｈにファスナー用アクセサリー１０を取り付けた場合を示しており、図５にはバッグに取り付けられたファスナーＦの引手Ｈにファスナー用アクセサリー１０を取り付けた場合を示している。
【００３３】
今回開示された実施の形態はすべての点で例示であって制限的なものではないと考えられるべきである。本考案の範囲は、上記した説明ではなく、実用新案登録請求の範囲によって示され、実用新案登録請求の範囲と均等の意味および範囲内でのすべての変更が含まれることが意図される。
【符号の説明】
【００３４】
１０…ファスナー用アクセサリー、１２…（一方の）アクセサリー本体、１４…（他方の）アクセサリー本体、１６…連結体、１８…引手嵌合溝、２０…（引手嵌合溝１８の）底面、２２…第１嵌着部、２４…第１係合部、２６…第２引手嵌合溝、２８…（第２引手嵌合溝２６の）底面、３０…第２嵌着部、３２…嵌着穴、３４…第２係合部
Ｆ…ファスナー、Ｈ…引手、Ｎ…貫通孔
【図１】
0003211892.tif 000003
【図２】
0003211892.tif 000004
【図３】
0003211892.tif 000005
【図４】
0003211892.tif 000006
【図５】
0003211892.tif 000007